(57)【要約】【課題】  本発明は、箸に付与した模様層が剥がれ難くなり、且つ模様層の凹凸を解消して、箸本来の滑り感を発揮することができる箸の模様付与方法を提供すること。【解決手段】  素材箸１の模様層２の上にチューブ状フィルム３を外挿して模様層２を圧接固定した模様付き箸であり、下記の１〜４よりなる箸の模様付与方法により製造される。１）素材箸１に表面に細かい凹凸を有する滑らかでない材料の模様層２を付与する工程、２）該模様層を付与した素材箸１に、該模様層より延出している透明且つ熱収縮性を持つチューブ状フィルム３を外挿する工程、３）チューブ状フィルム３を加熱、収縮させることで該模様層を上から圧接、固定させて該模様層とチューブ状フィルムとの間の空隙に、空気を封じ込める工程、４）チューブ状フィルムの上に樹脂塗料４を塗布する工程からなる。  そして、模様層が模様布により形成されている箸の模様付与方法。【選択図】  図５
2008206993.tif 000002
【特許請求の範囲】
【請求項１】
下記１〜４の工程からなる箸の模様付与方法。
１）素材箸に、表面に細かい凹凸を有する滑らかでない材料の模様層を付与する工程、
２）該模様層を付与した素材箸に、該模様層より延出している透明且つ熱収縮性を持つチューブ状フィルムを外挿する工程、
３）チューブ状フィルムを加熱、収縮させることで該模様層を上から圧接、固定させて、該模様層とチューブ状フィルムとの間の空隙に、空気を封じ込める工程、
４）チューブ状フィルムの上に樹脂塗料を塗布する工程。  
【請求項２】
模様層が模様布により形成されていることを特徴とする、請求項１記載の箸の模様付与方法。
【請求項３】
模様層が糸を巻回することにより形成されていることを特徴とする、請求項１記載の箸の模様付与方法。
【請求項４】
チューブ状フィルムが透明なポリエチレンテレフタレート製であることを特徴とする、請求項１記載の箸の模様付与方法。
【請求項５】
チューブ状フィルムの上に塗布する樹脂塗料が透明なポリエステル系樹脂塗料あることを特徴とする、請求項１記載の箸の模様付与方法。
【請求項６】
上記請求項１〜５のいずれか１項に記載の箸の模様付与方法によって模様が付与された箸。
【発明の詳細な説明】
【技術分野】
【０００１】
本発明は、食事の際に使用する箸に関し、更に詳しくは、箸の表面に模様を付与する方法、及びそれよって模様を付与された箸に関する。
【背景技術】
【０００２】
東洋、特に日本では、伝統的に、食事の際に使用する道具として箸は欠かせないものであり、近年、多様化の流れから多くの種類のものが上市されている。
箸の材料としては、ラミン、竹、マラス等が主に使用されており、これらを適当な長さに切断し、外形を整え、その表面に色付けや加飾を施して製品として上市している。
この装飾加工には種々の方法、例えば特許文献１に示すような印刷されたシュリングフィルム筒を箸に被せる方法があるが、模様が印刷のため平板的となり使用に限度がある。  他に特に有用な方法の一つとして、箸の周囲を模様付き布等の繊維材料に代表される滑らかでない材料で覆って模様層を形成する方法がある。
この方法を用いる場合は模様層の上から樹脂塗料を塗布して模様層を箸素材に固定している。
【０００３】
【特許文献１】特開平１０−１０８７７６号公報
【発明の開示】
【発明が解決しようとする課題】
【０００４】
しかし、上記の滑らかでない材料の模様層による箸装飾法では、樹脂塗料により模様層を固定しているので十分な締め付け力が働かない上に、繰り返しの使用や洗浄によって樹脂塗料が剥げ落ちる傾向がある。
そして樹脂塗料が剥げ落ちることで、その下にある模様層も素材箸から剥がれ落ち易くなる問題点があった。
また滑らかでない材料で模様層が形成されているために、模様層の表面に細かい凹凸部が必然的に形成される。
直接該模様層の上から樹脂塗料を塗布すると、樹脂塗料がその凹凸部に沿って付着するため樹脂塗料が乾燥して固まったときに表面がザラザラの状態となる。
そのため手触りが甚だ悪くなり、箸本来が持つ箸の滑り感が損なわれる。
【０００５】
本発明はかかる実情を背景になされたものである。
すなわち、本発明は、箸に付与した模様層が剥がれ難くなり、且つ模様層の凹凸を解消して、箸本来の滑り感を発揮することができる箸の模様付与方法を提供することを目的とする。
そして、またその方法によって模様を付与された箸を提供することである。
【課題を解決するための手段】
【０００６】
以上のような背景に対して本発明者は鋭意工夫を重ねた結果、素材箸の模様層の上にチューブ状フィルムを外挿して圧接固定することにより、上記課題を解決できることを見出し、その知見に基づき本発明を完成させたものである。
【０００７】
即ち、本発明は、（１）、下記１〜４の工程からなる箸の模様付与方法。
１）素材箸に、表面に細かい凹凸を有する滑らかでない材料の模様層を付与する工程、
２）該模様層を付与した素材箸に、該模様層より延出している透明且つ熱収縮性を持つチューブ状フィルムを外挿する工程、
３）チューブ状フィルムを加熱、収縮させることで該模様層を上から圧接、固定させて、該模様層とチューブ状フィルムとの間の空隙に、空気を封じ込める工程、
４）チューブ状フィルムの上に樹脂塗料を塗布する工程。  
【０００８】
そしてまた、（２）、模様層が模様布により形成されている上記（１）記載の箸の模様付与方法に存する。
【０００９】
そしてまた、（３）、模様層が糸を巻回することにより形成されている上記（１）記載の箸の模様付与方法に存する。
【００１０】
そしてまた、（４）、チューブ状フィルムが透明なポリエチレンテレフタレート製である上記（１）記載の箸の模様付与方法に存する。
【００１１】
そしてまた、（５）、チューブ状フィルムの上に塗布する樹脂塗料が透明なポリエスル系樹脂塗料ある上記（１）記載の箸の模様付与方法に存する。
【００１２】
そしてまた、（６）、上記（１）〜（５）のいずれか１項に記載の箸の模様付与方法によって模様が付与された箸に存する。
【００１３】
なお本発明の目的に添ったものであれば上記発明を適宜組み合わせた構成も採用可能である。
【発明の効果】
【００１４】
本発明によれば、素材箸に付与した模様層をまず透明且つ熱収縮性を持つチューブ状フィルムで圧接、固定しているので、模様層を強く押さえ付けることができる。
【００１５】
また、模様層をチューブ状フィルムが覆うために、模様層の表面の細かい凹凸を解消することができる。
模様層の両端をチューブ状フィルムが覆うようにすると模様層が端から崩れて剥がれるようなことがない。
チューブ状フィルムが熱収縮する際に模様層と防護フィルムの間の微細な空隙に微量な空気が圧を受けて封じ込まれることで箸に僅かな弾力が付与される。
その結果、箸を持った時の硬さが無くなり感触が向上する。
【００１６】
また、印刷とは異なった模様層の特有の模様がチューブ状フィルムを介して外から視認できる。
【発明を実施するための最良の形態】
【００１７】
〔第１の実施形態〕
以下、図面に基づき発明の実施における最適な例を示す。
図１は、その模様付与方法おける工程を示したブロック図である。
まず、予め木材を製品の形に切削して素材箸１を用意する（図２参照）。
この時使用する木材は、特に限定されないが主に鉄木、ラミン、竹、マラスが使用される。
【００１８】
次に、模様層２を素材箸１に形成する（図３参照）。
この模様層２の材料となるものは模様布、糸等で、材料は特に限定されない。
例えば模様布の場合は、模様布の裏側に接着剤（例えば酢酸ビニル系接着剤）を塗布して素材箸１に巻き付けたり、また粘着剤付きの模様布であればそのまま素材箸１に巻いて貼り付けたりする。
模様布の巻き付け回数を増やすことで、模様層２の厚みを大きくすることができる。
また、箸は先端に向うほど細くなる形状であるので、素材箸１に巻付けるための模様布は台形状である方が好ましい。
また糸の場合は、素材箸１に有色の糸（例えば斑染糸等）を一定密度で巻回することにより模様層２が形成されるが、糸の巻回する厚さにより模様層２の厚みも変わる。
【００１９】
模様布や糸によって形成された模様層２は、図４に拡大して模式的に示すように、その表面に僅かな凹凸部を有するものとなっている。
【００２０】
模様層２を形成した後は、図５（Ａ→Ｂ）に示すようにチューブ状フィルム（シュリンクフィルム）３を素材箸１に外挿する。
チューブ状フィルム３は、少なくとも模様層２の領域をカバーできるような幅のものを使う。
またチューブ状フィルム３は下の模様層２の模様が視認できるように透明であり、且つ模様層２に圧接できるように熱収縮性を有するものを使用する。
例えば塩化ビニル、ＯＰＳ（ポリスチレン）、ポリエチレンテレフタレート、ポリプロピレン等がある。
【００２１】
例えば、断面収縮率が良く、模様布や糸に対するカバー性の点から、例えば、ポリエチレン製フィルムを使う。
このとき模様層端からチューブ状フィルム３を延出させて覆うようにし、模様層２が端から崩れて剥がれることを防止することが好ましい。
なお後述するように、窪み部１１を有する素材箸１の場合、窪み部１１の底を圧接するまで十分収縮可能なチューブ状フィルムを使う必要がある。
【００２２】
チューブ状フィルム３が外挿された素材箸１を適当な方法で加熱し、チューブ状フィルム３の断面積を収縮させる。
その結果、チューブ状フィルム３が模様層２を上から圧接した状態で固定される（図６参照）。
【００２３】
図７は、チューブ状フィルム３を模様層２の上に加熱収縮により圧接、固定させる状態（Ａ→Ｂ）を説明する断面図である。
なお、加熱の方法は、チューブ状フィルム３が模様層２を十分な力で圧接、固定できるまで収縮できればその方法は特定しないが、温度調節が容易でムラなく均等に素材箸全体に熱を加えられ、加熱時間の設定が容易であるとの観点から、電気加熱室で加熱することが好ましい。
【００２４】
熱によりチューブ状フィルム３が収縮して、模様層２の表面の細かい凹凸部がチューブ状フィルム３に覆われることで、図８に拡大図して模式的に示すように、模様層２とチューブ状フィルム３との間に僅かながらも空隙Ｓが形成され、そこに微量な空気が圧を受けて封じ込まれる。
この密封された空気が箸を持った時に指に適度な弾力を与え、握り心地のよい感触を発生させる。
【００２５】
加熱し、チューブ状フィルム３を模様層２の上に圧接、固定したら、その上に更に樹脂塗料４を塗布する。
なお、塗布する樹脂塗料の種類は透明な、例えばエポキシ系、ウレタン系、フェノール系、アクリル系（例えばアクリルウレタン、アクリルエポキシ、アクリルラッカー等）、ポリエステル系（例えばポリエステルウレタン等）、湿気硬化ウレタン系、フッ素樹脂系、ラッカー系等の樹脂塗料が採用され、接着強度の強さ、耐水性の良さの観点からポリエステル系樹脂塗料が好ましい。
【００２６】
この樹脂塗料４の塗布により、チューブ状フィルム３を更に素材箸１に強固に固定すると共に、模様層２やチューブ状フィルム３により生じる段差を埋めることができる（図９参照）。
因みに模様層２は、先述したように、厚みの大きいものもあり、この場合には樹脂塗料４をその段差部に多めに塗布することで段差が解消される。
樹脂塗料を塗布した後、２４時間以上放置して塗料を乾燥、凝固させる。
樹脂塗料が完全に乾燥したら製造終了となる。
本発明の箸は以上の工程を経て模様が付与されるので、模様層の表面に凹凸部の発生は無く非常に滑らかに仕上がったものとなる。
【００２７】
〔第２の実施形態〕
この実施の形態は模様層が形成された矯正箸を示す。
矯正箸は、箸の持ち方を教える又は矯正する場合に使うものであり、適宜場所に窪み部を有する。
【００２８】
図１０は、矯正箸を示したもので、矯正のために指を当てる場所に窪み部が形成されている。
本発明では、このような大きい窪み部１１のある箸に対しても模様層２の形成の適用が可能である。
【００２９】
図１１は、箸の窪み部の一部縦断面を示す図である。
この場合、チューブ状フィルム３の径Ｌは、径Ｌ２に収縮することにより窪み部１１の底面に確実に模様層を圧接することができる。
そのために、チューブ状フィルム３の熱収縮率は、少なくとも窪み部１１の底面における径よりも縮径となるようにＬ２／Ｌが必要である。
以上、本発明を説明したが、本発明は、実施の形態に限定されることなく、その目的に沿う限り変更が可能である。
例えば、模様層を形成しない素材箸の部分に別の方法、例えば、着色塗料を塗ることは当然可能である。
更に、異なる装飾を与えることも可能である。
【図面の簡単な説明】
【００３０】
【図１】図１は、その模様付与方法おける工程を示したブロック図である。
【図２】図２は、模様層を形成する対象となる素材箸を示す図である。
【図３】図３は、模様布により模様層を素材箸に形成する状態を説明する図である。
【図４】図４は、模様層の表面に僅かな凹凸部を有する状態を拡大して模式的に示す図である。
【図５】図５は、チューブ状フィルムを素材箸に外挿する状態を説明する図である。  図５（Ａ）は、挿入中、図５（Ｂ）は、挿入後を示す。
【図６】図６は、チューブ状フィルムが模様層を上に圧接固定された状態を説明する図である。
【図７】図７は、チューブ状フィルムを模様層の上に加熱収縮により圧接、固定させる状態（Ａ→Ｂ）を説明する断面図である。  図７（Ａ）は、収縮前、図７（Ｂ）は、収縮後を示す。
【図８】図８は、模様層とチューブ状フィルムとの間の僅かな空間Ｓを説明する図である。
【図９】図９は、樹脂塗料により段差を埋めた状態を説明する図である。
【図１０】図１０は、矯正箸を示した図である。
【図１１】図１１は、箸の窪み部の一部縦断面を示す図である。  図１１（Ａ）は、収縮前、図１１（Ｂ）は、収縮後を示す。
【符号の説明】
【００３１】
１  素材箸
２  模様層
３  チューブ状フィルム
４  樹脂塗料
１１  窪み部
Ｓ  空隙
【図１】
2008206993.tif 000003
【図２】
2008206993.tif 000004
【図３】
2008206993.tif 000005
【図４】
2008206993.tif 000006
【図５】
2008206993.tif 000007
【図６】
2008206993.tif 000008
【図７】
2008206993.tif 000009
【図８】
2008206993.tif 000010
【図９】
2008206993.tif 000011
【図１０】
2008206993.tif 000012
【図１１】
2008206993.tif 000013